【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
画像フレームを符号化するための装置であって、
前記画像フレームが、非重複単位にパーティション化され、前記パーティション化済みの単位が、前記画像フレームの第１の領域、第２の領域および第３の領域に含められ、前記第１の領域、前記第２の領域および前記第３の領域の各々が、ラスタ走査順番を示すインジケータと関連付けられる、装置であり、
前記第３の領域の前記インジケータに基づいて、前記画像フレームの前記第３の領域を符号化することであって、ラスタ走査技法を使用して、前記第３の領域における右および上の第１の単位から始まる、符号化することと、
前記第２の領域の前記インジケータに基づいて、前記画像フレームの前記第２の領域を符号化することであって、前記第２の領域における右の第１の単位から始まる、符号化することと、
前記第１の領域の前記インジケータに基づいて、前記第１の領域を符号化することであって、前記第１の領域における上または下の第１の単位から始まる、符号化することと
を行うように構成されたプロセッサを含む、装置。
【請求項２】
前記プロセッサが、前記第３の領域を符号化する前に、前記画像フレームを１８０度回転させるようにさらに構成される、請求項１に記載の装置。
【請求項３】
前記第１の領域を符号化する前に、前記回転済みの画像フレームを時計回りに追加で９０度回転させ、前記回転済みの画像の前記第１の領域を水平方向にするようにさらに構成された前記プロセッサ
をさらに含む、請求項２に記載の装置。
【請求項４】
前記プロセッサが、
右下の領域を走査する前に、前記第３の領域を少なくとも２つのより小さな領域に分割することであって、第１のより小さな領域が、前記右下の領域の高さおよび長さにおいて１単位である、分割することと、
前記右下の領域の走査順番ビットに基づいて、前記画像フレームの前記右下の領域を符号化することであって、前記第１のより小さな領域の第１の単位から始まり、左から右への水平方向において最後の単位に到達する、符号化することと、
前記右上の領域の前記走査順番ビットに基づいて符号化することであって、最後の単位から始まり、前記右上の領域の左から右への水平方向において第１の単位に到達する、符号化することと、
前記第３の領域の前記走査順番ビットに基づいて、前記画像フレームを符号化することであって、第２のより小さな領域の第１の単位から始まり、前記第２のより小さな領域の残りの行の各々に対して左から右への水平方向において最後の単位に到達する、符号化することと
を行うようにさらに構成される、請求項１に記載の装置。
【請求項５】
画像を符号化するための方法であって、
画像フレームが、非重複単位にパーティション化され、前記パーティション化済みの単位が、前記画像フレームの第１の領域、第２の領域および第３の領域に含められ、前記第１の領域、前記第２の領域および前記第３の領域の各々が、ラスタ走査順番を示すインジケータと関連付けられる、方法であり、
前記第３の領域の前記インジケータに基づいて、前記画像フレームの前記第３の領域を符号化することであって、ラスタ走査技法を使用して、前記第３の領域における右および上の第１の単位から始まる、符号化することと、
前記第２の領域の前記インジケータに基づいて、前記画像フレームの前記第２の領域を符号化することであって、前記第２の領域における右の第１の単位から始まる、符号化することと、
前記第１の領域の前記インジケータに基づいて、前記第１の領域を符号化することであって、前記第１の領域における上または下の第１の単位から始まる、符号化することと
を含む、方法。
【請求項６】
前記第３の領域を符号化する前に、前記画像フレームを１８０度回転させることをさらに含む、請求項５に記載の方法。
【請求項７】
前記第１の領域を符号化する前に、前記回転済みの画像フレームを時計回りに追加で９０度回転させ、前記回転済みの画像の前記第１の領域を水平方向にすること
をさらに含む、請求項５に記載の方法。
【請求項８】
前記第３の領域を走査する前に、前記第３の領域を少なくとも２つのより小さな領域に分割することであって、第１のより小さな領域が、前記第３の領域の高さおよび長さにおいて１単位である、分割することと、
前記第３の領域の走査順番ビットに基づいて、前記画像フレームの前記右下の領域を符号化することであって、前記第１のより小さな領域の第１の単位から始まり、左から右への水平方向において最後の単位に到達する、符号化することと、
前記第２の領域の前記走査順番ビットに基づいて符号化することであって、最後の単位から始まり、前記第２の領域の左から右への水平方向において第１の単位に到達する、符号化することと、
前記第３の領域の前記走査順番ビットに基づいて、前記画像フレームを符号化することであって、第２のより小さな領域の第１の単位から始まり、前記第２のより小さな領域の残りの行の各々に対して左から右への水平方向において最後の単位に到達する、符号化することと
をさらに含む、請求項５に記載の方法。
【請求項９】
画像を復号するための装置であって、
画像フレームが、非重複単位にパーティション化され、前記パーティション化済みの単位が、前記画像フレームの第１の領域、第２の領域および第３の領域に含められ、前記第１の領域、前記第２の領域および前記第３の領域の各々が、ラスタ走査順番を示すインジケータと関連付けられる、装置であり、
前記第３の領域の前記インジケータに基づいて、前記画像フレームの前記第３の領域を復号することであって、ラスタ走査技法を使用して、前記第３の領域における右および上の第１の単位から始まる、復号することと、
前記第２の領域の前記インジケータに基づいて、前記画像フレームの前記第２の領域を復号することであって、前記第２の領域における右の第１の単位から始まる、復号することと、
前記第１の領域の前記インジケータに基づいて、前記第１の領域を復号することであって、前記第１の領域における上または下の第１の単位から始まる、復号することと
を行うように構成されたプロセッサを含む、装置。
【請求項１０】
前記プロセッサが、前記第３の領域を復号する前に、前記画像フレームを１８０度回転させるようにさらに構成される、請求項９に記載の装置。
【請求項１１】
前記プロセッサが、
前記第１の領域を復号する前に、前記回転済みの画像フレームを時計回りに追加で９０度回転させ、前記回転済みの画像の前記第１の領域を水平方向にする
ようにさらに構成される、請求項９に記載の装置。
【請求項１２】
前記プロセッサが、
前記第３の領域を走査する前に、前記第３の領域を少なくとも２つのより小さな領域に分割することであって、第１のより小さな領域が、前記第３の領域の高さおよび長さにおいて１単位である、分割することと、
前記第３の領域の走査順番ビットに基づいて、前記画像フレームの前記右下の領域を復号することであって、前記第１のより小さな領域の第１の単位から始まり、左から右への水平方向において最後の単位に到達する、復号することと、
前記第２の領域の前記走査順番ビットに基づいて復号することであって、最後の単位から始まり、前記第２の領域の左から右への水平方向において第１の単位に到達する、復号することと、
前記第３の領域の前記走査順番ビットに基づいて、前記画像フレームを復号することであって、第２のより小さな領域の第１の単位から始まり、前記第２のより小さな領域の残りの行の各々に対して左から右への水平方向において最後の単位に到達する、復号することと
を行うようにさらに構成される、請求項９に記載の装置。
【請求項１３】
画像を復号するための方法であって、
画像フレームが、非重複単位にパーティション化され、前記パーティション化済みの単位が、前記画像フレームの第１の領域、第２の領域および第３の領域に含められ、前記第１の領域、前記第２の領域および前記第３の領域の各々が、ラスタ走査順番を示すインジケータと関連付けられる、方法であり、
前記第３の領域の前記インジケータに基づいて、前記画像フレームの前記第３の領域を復号することであって、ラスタ走査技法を使用して、前記第３の領域における右および上の第１の単位から始まる、復号することと、
前記第２の領域の前記インジケータに基づいて、前記画像フレームの前記第２の領域を復号することであって、前記第２の領域における右の第１の単位から始まる、復号することと、
前記第１の領域の前記インジケータに基づいて、前記第１の領域を復号することであって、前記第１の領域における上または下の第１の単位から始まる、復号することと
を含む、方法。
【請求項１４】
前記第３の領域を復号する前に、前記画像フレームを１８０度回転させることをさらに含む、請求項１３に記載の方法。
【請求項１５】
前記第１の領域を復号する前に、前記回転済みの画像フレームを時計回りに追加で９０度回転させ、前記回転済みの画像の前記第１の領域を水平方向にすること
をさらに含む、請求項１３に記載の方法。
【請求項１６】
前記第３の領域を走査する前に、前記第３の領域を少なくとも２つのより小さな領域に分割することであって、第１のより小さな領域が、前記第３の領域の高さおよび長さにおいて１単位である、分割することと、
前記第３の領域の走査順番ビットに基づいて、前記画像フレームの前記右下の領域を復号することであって、前記第１のより小さな領域の第１の単位から始まり、左から右への水平方向において最後の単位に到達する、復号することと、
前記第２の領域の前記走査順番ビットに基づいて復号することであって、最後の単位から始まり、前記第２の領域の左から右への水平方向において第１の単位に到達する、復号することと、
前記第３の領域の前記走査順番ビットに基づいて、前記画像フレームを復号することであって、第２のより小さな領域の第１の単位から始まり、前記第２のより小さな領域の残りの行の各々に対して左から右への水平方向において最後の単位に到達する、復号することと
をさらに含む、請求項１３に記載の方法。
【請求項１７】
非一時的なソフトウェアプログラムがコンピュータによって実行される際に、請求項５〜８および１２〜１６の少なくとも１つに記載の方法を実行するためのプログラムコード命令を含むことを特徴とする非一時的なコンピュータ可読プログラム製品。
【請求項１８】
非一時的なソフトウェアプログラムがコンピュータによって実行される際に、請求項５〜８および１２〜１６の少なくとも１つに記載の方法を実行するためのプログラムコード命令を含むことを特徴とするソフトウェアプログラムを保持するコンピュータ可読記憶媒体。
【請求項１９】
画像フレームの符号化データを格納することを含む非一時的なコンピュータ可読媒体であって、前記画像フレームが、非重複単位にパーティション化され、前記パーティション化済みの単位が、前記画像フレームの第１の領域、第２の領域および第３の領域に含められ、前記画像フレームの前記符号化データが、前記第３の領域における右および上の第１の単位から始まるラスタ走査を示す前記第３の領域と関連付けられた第３のインジケータと、前記第２の領域における右の第１の単位から始まるラスタ走査を示す前記第２の領域と関連付けられた第２のインジケータと、前記第１の領域における上または下の第１の単位から始まるラスタ走査を示す前記第１の領域と関連付けられた第１のインジケータとを含むことを特徴とする、非一時的なコンピュータ可読媒体。